(57)【要約】【課題】巻き癖が付かないように糸状体を保持し、糸状体が損傷を受けることなく円滑に引き出される安価な糸状態ユニットの提供。【解決手段】この糸状体ユニット１０は、ケーシング１３と糸状体１２とを備える。ケーシング１３は、中空の直方体状に形成されている。糸状体１２は、８の字を呈するように巻回された後、中央部で折り畳まれている。糸状体１２は全体として多数のループが積み重ねられた環状に形成されている。環状に形成された糸状体１２がケーシング１３の収容室３５に収容されている。ケーシング１３の壁面は、環状に形成された糸状体１２の上面、下面、正面、背面、右側面、左側面に当接している。【選択図】図２
2009183223.tif 000002
【特許請求の範囲】
【請求項１】
一端及び他端を有する長尺の糸状体と、当該糸状体を収容保持するケーシングとを有し、
上記糸状体は、
一端側から一対の仮想糸掛ボスの一方に時計回り又は反時計回りのいずれか一方向に巻き掛けられた後に一対の仮想糸掛ボスの他方に時計回り又は反時計回りのいずれか他方向に巻き掛けられることを単位サイクルとして、当該単位サイクルが複数回繰り返されることによって中央部で交差する８の字を呈するように巻回された後に当該中央部で当該糸状体の他端側部分が挟み込まれた状態で折り畳まれており、
上記ケーシングは、
上記折り畳まれることによって環状に形成された糸状体の上面、下面、正面、背面、左側面、右側面にそれぞれ当接する６つの壁面を備え、
当該壁面は、上記糸状体の他端側部分が挿通される糸状体引出孔が設けられている糸状体ユニット。
【請求項２】
上記６つの壁面により上記糸状体を収容する収容室が区画されており、
上記ケーシングのうち上記糸状体引出孔が設けられた壁面を形成する部分は、上記収容室を開閉する開閉扉を構成している請求項１に記載の糸状体ユニット。
【発明の詳細な説明】
【技術分野】
【０００１】
本発明は、釣糸その他の長尺の糸状体と、これを保持するケーシングとを備えた糸状体ユニットの構造に関するものである。
【背景技術】
【０００２】
糸状体として典型的には釣糸が例示される。釣糸は、従来から所定の長さ（例えば５０ｍ〜１５０ｍ程度）に裁断されて市販されている。ただし、長尺の釣糸は取り扱いに不便であることから、通常、釣糸は糸巻に巻き取られた状態で販売される（例えば、特許文献１〜特許文献１４参照）。一般に糸巻は単一の円筒状のコアを有しており、当該コアに釣糸が巻き付けられるようになっている。また、糸巻に釣糸を巻き付ける装置も従来から提供されている（例えば、特許文献１５〜特許文献２５参照）。このような糸巻装置は、釣糸に一定のテンションを発生させた状態で当該釣糸を上記コアに巻き取るようになっている。
【０００３】
ところで、長尺の釣糸が単一の円筒状コアに一方向に一様に巻き取られた場合には、当該釣糸に巻き癖がつくおそれがある。巻き癖がついた釣糸は使用時に螺旋状に変形し、釣人にとって非常に使いにくいものとなる。このような不都合が解消されるために、例えば特許文献２６に開示された糸巻が提供されている。この糸巻は、ほとんど巻き癖をつけることなく釣糸を巻き取ることができるようになっている。具体的には、特許文献２６に開示された糸巻は、一対の円筒状コアを有している。長尺の釣糸は、これら一対の円筒状コア間に８の字を描くように巻き掛けられる。そして、このように８の字を呈するように形成された釣糸がその中央部（釣糸同士が交差する部位）で折り曲げられ、全体として円形に巻回された状態で（いわゆる蜷局状を成して）当該糸巻に保持される。
【０００４】
図８は、従来の糸巻の分解斜視図である。
【０００５】
この糸巻５０１は、内フレーム５０２と外フレーム５０３とを有する。釣糸５０４は内フレーム５０２に巻き取られており、この内フレーム５０２が外フレーム５０３に収容される。釣糸５０４の端部５０５は、外フレーム５０３に設けられた挿通孔５０６から外部へ導かれている。釣人は、外フレーム５０３を一方の手に持ち、他方の手で釣糸５０４の端部５０５を把持して引っ張ることにより、所望の長さの釣糸５０４を取り出すことができる。
【０００６】
図９は従来の糸巻の内フレームが展開された状態の斜視図であり、図１０は釣糸が巻き付けられた状態の平面図である。
【０００７】
これらの図が示すように、内フレーム５０２はベースプレート５０７を有し、このベースプレート５０７に一対のコア５０８、５０９が設けられている。これらコア５０８、５０９を覆うように、それぞれフランジ５１０、５１１が設けられている。各フランジ５１０、５１１の端部５１２、５１３は、ベースプレート５０７に固定されている。釣糸５０４の基端５１８は、ベースプレート５０７の所定位置に固定される。釣糸５０４は、コア５０８とコア５０９とに交互に巻き掛けられ、８の字を呈するように形成される（図１０参照）。この状態でベースプレート５０７が中央部で折り曲げられることにより（図８参照）、結果として長尺の釣糸が円形に巻回された状態で外フレーム５０３に収容されるようになっている。
【０００８】
釣糸５０４は、糸巻５０１に巻き取られた状態で製品（糸状体ユニット）として販売される。釣人が釣糸５０４を使用するときは、前述のように釣糸５０４の端部５０５を引っ張る。これにより、内フレーム５０２に巻き取られた釣糸５０４が順にほどけて糸巻５０１から引き出される。ここで、釣糸５０４は前述のように８の字を描くように内フレーム５０２のコア５０８、５０９に巻き掛けられているから、釣糸５０４に巻き癖がつくことはない。したがって、糸巻５０１から引き出された釣糸５０４は真直な状態を維持し、釣人にとって非常に使いやすいものである。
【０００９】
【特許文献１】特開２００６−２３０２０７号公報
【特許文献２】特開２００６−２２３１２７号公報
【特許文献３】特開２００５−３０４３５８号公報
【特許文献４】特開２００５−２１８４４６号公報
【特許文献５】特開２００５−２１８３３４号公報
【特許文献６】特開２００５−０００１５１号公報
【特許文献７】特開２００４−３１３１５０号公報
【特許文献８】特開２００４−２１５６３７号公報
【特許文献９】特開２００４−２１５６３６号公報
【特許文献１０】特開２００３−００９７４２号公報
【特許文献１１】特開２００２−３７０８７１号公報
【特許文献１２】特開２００２−３６９６４６号公報
【特許文献１３】特開２００２−１７１８８７号公報
【特許文献１４】特開２００１−２９９１７３号公報
【特許文献１５】特開２００２−０９５３９９号公報
【特許文献１６】特開２００２−０８４９４３号公報
【特許文献１７】特開２００１−１５１２０６号公報
【特許文献１８】特開２００１−１４８９８７号公報
【特許文献１９】特開２００１−１１４４７１号公報
【特許文献２０】特開平１１−１８０６４１号公報
【特許文献２１】特開平１１−００５６７１号公報
【特許文献２２】特開平１０−１０９８２４号公報
【特許文献２３】特開平１０−１０９８２２号公報
【特許文献２４】特開平９−１８８４７５号公報
【特許文献２５】特開平７−１３７９３３号公報
【特許文献２６】特許第３８９９１１７号公報
【発明の開示】
【発明が解決しようとする課題】
【００１０】
ところが、従来の糸状体ユニットでは、糸巻５０１の構造がきわめて複雑であった。すなわち、糸巻５０１は内フレーム５０２及び外フレーム５０３を備えており、内フレーム５０２はベースプレート５０７及びコア５０８、５０９を有し、さらに、これらコア５０８、５０９を覆うようにフランジ５１０、５１１が設けられている。そして、釣糸５０４は、コア５０８とコア５０９とに交互に巻き掛けられている。
【００１１】
このような従来の糸巻５０１の構造は、８の字を呈するように巻き取られた釣糸が確実に保持され、しかも絡まることなく円滑に引き出されることを目的として開発されたものである。しかしながら、そのために糸巻５０１の製造工程も複雑化し、糸巻５０１引いては糸状体ユニットの製造コストが大幅に上昇するという新たな問題が発生した。
【００１２】
そこで、本発明の目的は、釣糸その他の糸状体を巻き癖が付くことなく保持すると共にこの糸状体が円滑に引き出される安価な糸状体ユニットを提供することである。
【課題を解決するための手段】
【００１３】
(1) 上記目的が達成されるため、本発明に係る糸状体ユニットは、一端及び他端を有する長尺の糸状体と、当該糸状体を収容保持するケーシングとを有する。上記糸状体は、一端側から一対の仮想糸掛ボスの一方に時計回り又は反時計回りのいずれか一方向に巻き掛けられた後に一対の仮想糸掛ボスの他方に時計回り又は反時計回りのいずれか他方向に巻き掛けられることを単位サイクルとして、当該単位サイクルが複数回繰り返されることによって中央部で交差する８の字を呈するように巻回される。さらに、この糸状体は、その中央部で折り畳まれる。このとき、当該糸状体は環状に形成され、当該糸状体の他端側部分は、当該糸状体によって挟み込まれた状態となる。上記ケーシングは、上記折り畳まれることによって環状に形成された糸状体の上面、下面、正面、背面、左側面、右側面にそれぞれ当接する６つの壁面を備える。当該壁面は、上記糸状体の他端側部分が挿通される糸状体引出孔が設けられている。
【００１４】
この発明では、まず、長尺の糸状体が一対の仮想糸掛ボスに８の字を呈するように巻回される。糸状体としては、釣糸が例示される。具体的には、一対の糸掛ボスを備えた治具が使用され、この治具に糸状体が次の要領で巻き掛けられる。すなわち、糸状体の一端が例えば一対の糸掛ボスの中間に固定される。糸状体は、一端側から一方の糸掛ボスに時計回りに巻き掛けられ、続いて、他方の糸掛ボスに反時計回りに巻き掛けられる。もっとも、糸状体は、最初に反時計回りに巻かれ、次に時計回りに巻かれてもよい。要するに、糸状体は互いにクロスするように一方の糸掛ボス及び他方の糸掛ボスに巻き掛けられ、これを単位サイクルとして、一対の糸掛ボス間に交互に連続して巻き掛けられる。これにより、糸状体は、８の字を呈するように一対の糸掛ボス間に巻き取られる。この状態で糸状体は治具から外され、中央部で折り畳まれて環状に形成される。つまり、環状に形成された糸状体は、ループが幾重にも積み重ねられた状態となる。このとき、当該糸状体の他端側の部分は、一方の糸掛ボス側に巻回されたループの束と他方の糸掛ボス側に巻回されたループの束との間に挟み込まれる。なお、上記治具が使用されなくてもよいことは勿論である。要するに、糸状体は、一対の仮想糸掛ボスの周りに８の字を呈するように巻回されていればよい。前述のように折り畳まれた糸状体は、ケーシングに収容され保持される。ケーシングの壁面は、この糸状体の上面、下面、正面、背面、左側面、右側面にそれぞれ当接する。言い換えれば、上記糸状体はケーシングの６つの壁面により囲繞され、当該環状形状が維持される。そして、上記糸状体の他端側部分は、糸状体引出孔から外部へ出される。
【００１５】
前述のように、糸状体が８の字を呈するように巻き付けられるから、当該糸状体が時計回りに巻かれる際に発生する撚りと、反時計回りに巻かれる際に発生する撚りとが相殺され、結果的に糸状体が撚れることはない。また、糸状体は、強く引っ張られることなく緩やかに巻回され得るものであるから、糸状体は、ほとんど無張力の状態で環状に形成され、ケーシングに保持される。したがって、糸状体が長時間保持されたとしても巻き癖がつくことがない。
【００１６】
糸状体は、糸状体引出孔から外部に導かれている。この糸状体を使用しようとする者は、糸状体の他端側部分を引っ張ることにより、所望の長さの糸状体をケーシングから引き出すことができる。このとき、環状に形成された糸状体は、積み重ねられたループが順に解けるように引き出される。すなわち、ループが幾重にも積み重ねられた糸状体は、各ループが一つづつ消滅するように上記糸状体引出孔から引き出される。また、環状に形成された糸状体は、ケーシングの上記壁面により囲繞されているから、糸状体が上記糸状体引出孔から引き出される際にケーシング内で拡がることはない。これにより、糸状体は、絡み合うことなく滑らかにストレス無く解けることになる。しかも、糸状体の他端側部分が一方の仮想糸掛ボスの周りに巻回されたループの束と他方の仮想糸掛ボスの周りに巻回されたループの束との間に挟み込まれるように配置されているから、当該他端側の部分によって一方の仮想糸掛ボス側に巻回されたループの束と他方の仮想糸掛ボス側に巻回されたループの束との間に境界が形成される。したがって、糸状体が引き出される際に、巻回されたループ同士が交差して絡み合うことが防止される。
【００１７】
(2) 上記６つの壁面により上記糸状体を収容する収容室が区画されていてもよい。上記ケーシングのうち上記糸状体引出孔が設けられた壁面を形成する部分は、上記収容室を開閉する開閉扉を構成しているのが好ましい。
【００１８】
この構成では、開閉扉が開かれることによって、糸状体は、収容室に容易に収容される。しかも、収容室に収容された糸状体は、６つの壁面により確実に囲繞され、保持される。ケーシングは、例えば樹脂、紙、金属等によって中空の直方体状に形成され得る。
【発明の効果】
【００１９】
本発明では、巻き癖を付けることなく糸状体が巻き取られるので、ケーシングから引き出された糸状体は、真直で滑らかな状態が維持される。また、糸状体は、滑らかにストレス無く引き出されるので、糸状体が損傷を受けることがない。糸状体は６つの壁面を備えたケーシングに収容されるから、糸状体を保持するケーシングの構造がきわめて簡単である。したがって、糸状体ユニットの製造工程が簡略化され、安価な糸状体ユニットが提供され得る。
【発明を実施するための最良の形態】
【００２０】
以下、適宜図面が参照されつつ、本発明が詳細に説明される。
【００２１】
図１は、本発明の一実施形態に係る糸状体ユニットの斜視図である。図２は、この糸状体ユニットの分解斜視図である。
【００２２】
この糸状体ユニット１０は、ケーシング１３と、このケーシング１３に収容された糸状体１２とを備えている。本実施形態では、糸状体１２は釣糸である。したがって、本実施形態に係る糸状体ユニット１０は、釣糸がケーシング１３に収容保持された釣糸ユニットとして構成されている。もっとも、糸状体１２は釣糸に限定されるものではない。
【００２３】
図１及び図２が示すように、ケーシング１３は、中空の直方体の箱状に形成されている。本実施形態では、ケーシング１３は、樹脂、紙、金属等から構成される。ケーシング１３は開口３１を備えており、この開口３１に連続してケーシング１３の内部に収容室３５が区画されている。この収容室３５は、後述されるように環状に折り畳まれた糸状体１２を収容することができるようになっている。
【００２４】
ケーシング１３は、前面蓋３６を備えている。この前面蓋３６は、ケーシング１３と一体的に形成されており、上記収容室３５の開口３１を開閉することができる。この前面蓋３６は、面ファスナー３８を備えている。この面ファスナー３８は、フックテープ３９及びループテープ４０を有する。したがって、前面蓋３６が閉じられたときは、フックテープ３９とループテープ４０とが係合し、前面蓋３６は、閉じた状態が維持される。
【００２５】
図３は、前面蓋３６の要部拡大断面図である。
【００２６】
前面蓋３６は、ガイドリング４１を備えている。このガイドリング４１は、樹脂、金属その他の材料からなる。典型的には、ガイドリング４１は、ＳｉＣ（シリコーンカーバイド）から構成される。ガイドリング４１は、チューブ状に形成されている。ガイドリング４１は、前面蓋３６を貫通し、当該前面蓋３６に固定されている。具体的には、ガイドリング４１は、リング本体４２と固定具４３とを備えている。リング本体４２及び固定具４３は、それぞれ貫通孔４４、４５を備えている。リング本体４２は、前面蓋３６の内側から当該前面蓋３６を貫通して嵌め込まれている。固定具４３は、前面蓋３６を貫通したリング本体４２に当該前面蓋３６の外側から嵌め込まれている。したがって、リング本体４２及び固定具４３は、協働して前面蓋３６を挟み込み、これにより、ガイドリング４１が前面蓋３６に取り付けられている。
【００２７】
ガイドリング４１が前面蓋３６に取り付けられた状態で、上記貫通孔４４、４５が連通し、ケーシング１３の内部と外部とを連通する挿通孔４６（糸状体引出孔）が構成される。上記糸状体１２は、この挿通孔４６に挿通され、ケーシング１３の内部から外部へと円滑に案内される。本実施形態では、この挿通孔４６の一部が拡径されている。具体的には、上記貫通孔４４の内径寸法は、ケーシング１３の内側に向かって漸次大きくなるように設定されている。つまり、挿通孔４４は、ケーシング１３の内側に向かって開く漏斗状に形成されている。挿通孔４６が係る形状に形成されることによる作用効果は、後述される。
【００２８】
図４は、ケーシング１３の要部拡大断面図である。
【００２９】
図１及び図２が示すように、ケーシング１３は糸止具４７を備えている。図４が示すように、この糸止具４７は、円形の平板からなる。糸止具４７は、中央部４８と外縁部４９とを有し、外縁部４９は、中央部４８の周縁に連続して若干上方へ折り曲げられている。この糸止具４７は、糸状体１２を仮保持する。具体的には、図１が示すようにケーシング１３から引き出された糸状体１２が、ケーシング１３と外縁部４９（図４参照）との間に形成される隙間５０に押し込まれる。これにより、糸状体１２は、糸止具４７に保持される。ただし、糸状体１２が引っ張られることにより、糸状体１２は、簡単に糸止具４７から離脱する。
【００３０】
図５は、ケーシング１３の展開図である。ただし、同図では、上記ガイドリング４１及び係止具４７並びに上記糸止具４７の図示が省略されている。
【００３１】
ケーシング１３は、本実施形態ではシート状の樹脂からなる。このシート状の樹脂は、図５が示すような形状に裁断される。ケーシング１３の側片部１１０〜１１３がそれぞれ折曲線１１４〜１１７で折り曲げられる。これにより、ケーシング１３の中央部１０９に対して各側片部１１０〜１１３が起立される。さらに、側片部１１０が折曲線１１８で折り曲げられると共に側片部１１３が折曲線１１９、１２０で折り曲げられることにより、上記収容室３５が区画されたケーシング１３が組み立てられる。このとき、側片部１１３の端縁部１２１は側片部１１１に重ね合わされて固定される。
【００３２】
上記中央部１０９並びに上記側片部１１０〜１１３は、糸状体１２の収容室３５を区画する６つの壁面を構成している。すなわち、上記中央部１０９は、糸状体１２の下面１７（図２及び図７参照）に当接する壁面である。また、上記側片部１１０〜１１２は、それぞれ、糸状体１２の正面１８、右側面１９及び背面２０に当接する壁面である。そして、上記側片部１１３は、糸状体１２の左側面２１及び上面３２に当接する壁面である。なお、側片部１１０が上記前面蓋３６を構成しており、この前面蓋３６の端縁部１２２に上記面ファスナー３８が設けられている。また、前面蓋３６に貫通孔９１が設けられており、この貫通孔９１に上記ガイドリング４１（図１参照）が取り付けられている。この貫通孔９１は、前面蓋３６の中心に設けられている。
【００３３】
図２が示すように、糸状体１２は、全体として環状に形成されている。ただし、この糸状体１２は、予め８の字を呈するように巻回され、これが中央部で折り畳まれることにより構成されている。糸状体１２は、次の要領で巻回され得る。
【００３４】
図６は、糸状体１２が巻回される要領を示す図である。
【００３５】
本実施形態では、糸状体１２は、治具１１に巻き取られる。治具１１は、ベースプレート１４と、これに設けられた糸掛ボス１５、１６（仮想糸掛ボス）とを備えている。ベースプレート１４は、樹脂や金属等からなる。ベースプレート１４は、薄肉の平板からなり、細長の矩形に形成されている。糸掛ボス１５及び糸掛ボス１６も樹脂や金属等からなる。糸掛ボス１５、１６は、円柱状に形成されている。糸掛ボス１５は、ベースプレート１４の一端部に立設配置され、糸掛ボス１６は、ベースプレート１４の他端部に立設配置されている。同図では、糸掛ボス１５、１６は、紙面に垂直な方向に突出している。本実施形態では、糸掛ボス１５、１６は、円柱状に形成されているが、これら糸掛ボス１５、１６の形状は円柱状に限定されるものではない。すなわち、これら糸掛ボス１５、１６は、巻き掛けられた糸状体が滑らかな曲線状を呈するような外周面を備えていれば、他の種々の形状が採用され得る。したがって、糸掛ボス１５、１６は、断面が半円形の柱状に形成されていてもよいし、外周面の一部に曲面が形成された異形の柱状に形成されていてもよい。
【００３６】
糸状体１２の一端５１がベースプレート１４に固定される。糸状体１２の固定位置は特に限定されるものではないが、本実施形態では、糸状体１２は、両糸掛ボス１５、１６の中間に固定されている。この糸状体１２は、まず糸掛ボス１５側に引き回され、当該糸掛ボス１５の外周面２２に時計回りに巻き掛けられる。続いて、糸状体１２は、当該糸状体１２とクロスするようにして糸掛ボス１６の外周面２４に反時計回りに巻き掛けられる。これを単位サイクルとして、当該単位サイクルが繰り返される。すなわち、糸状体１２は、糸掛ボス１５の外周面２２に時計回りに巻き掛けられた後、前述と同様に糸掛ボス１６に巻き掛けられ、これが繰り返される。なお、本実施形態では、糸状体１２は、糸掛ボス１５の外周面２２に時計回りに巻き掛けられた後、糸掛ボス１６の外周面２４に反時計回りに巻き掛けられるが、糸状体１２は、糸掛ボス１５の外周面２２に反時計回りに巻き掛けられた後、糸掛ボス１６の外周面２４に時計回りに巻き掛けられてもよい。また、本実施形態では、糸状体１２が前述のように８の字を呈するように巻回されるために治具１１が使用されたが、治具１１は使用されなくてもよいことは勿論である。
【００３７】
これにより、糸状体１２は、８の字を呈するように一対の糸掛ボス１５、１６間に巻き取られ、ベースプレート１４に保持される。なお、所定長さの糸状体１２がベースプレート１４に巻き付けられると、当該糸状体１２が切断される。糸状体１２は、一対の糸掛ボス１５、１６間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。
【００３８】
図７は、環状に形成された糸状体１２の斜視図である。
【００３９】
糸状体１２が８の字を呈するように巻き掛けられた状態で、糸状体１２がベースプレート１４から取り外され、中央部３３（図６参照）で折り畳まれる。これにより、糸状体１２は、図７が示すように環状に形成される。このとき、糸状体１２は、上記糸掛ボス１５に巻き掛けられたループと、上記糸掛ボス１６に巻き掛けられたループとが交互に積み重ねられた状態となっている。そして、糸状体１２の他端側の部分５２は、糸掛ボス１５側に巻回されたループと糸掛ボス１６側に巻回されたループとの間に導かれ、両ループ間に挟み込まれた状態となる（図７参照）。また、前述のように、糸状体１２は、ほとんど無張力の状態で糸掛ボス１５、１６に巻き付けられるから、糸状体１２に巻き癖がつくことがない。
【００４０】
そして、このように環状に形成された糸状体１２は、図２が示すようにケーシング１３に収容される。このとき、ケーシング１３の前面蓋３６が開かれ、糸状体１２がケーシング１３に挿入される。換言すれば、糸状体１２は、ケーシング１３によって囲繞され保持される。糸状体１２の他端側の部分５２は、ケーシング１３の前面蓋３６に設けられたガイドリング４１に挿通され、この状態で当該前縁蓋３６が閉じられる。これにより、糸状体１２は、ケーシング１３の外部に引き出され、糸状体ユニット１０の組み立てが完成する。
【００４１】
この糸状体１２の使用者（釣人）は、糸状体１２の他端側の部分５２を引っ張ることにより、所望の長さの糸状体１２をベースプレート１４から引き出すことができる。このとき、糸状体１２の上面３２、下面１７、正面１８、背面２０、右側面１９及び左側面２１はケーシング１３の上記６つの壁面に当接しているから、糸状体１２は、その剛性によって拡がることが防止されている。したがって、糸状体１２は、幾重にも積み重ねられた上記ループが順番に解けるように引き出され、使用者の意に反して多量にケーシング１３から引き出されることはない。しかも、糸状体１２の他端側の部分５２が糸掛ボス１５側に巻回されたループと糸掛ボス１６側に巻回されたループとの間に挟み込まれるように配置されているから、糸掛ボス１５側に巻回されたループと糸掛ボス１６側に巻回されたループとの間に当該他端側の部分５２によって境界が形成される。したがって、糸状体１２が引き出される際に、糸掛ボス１５側に巻回されたループと糸掛ボス１６側に巻回されたループとが交差して絡み合うことが防止される。
【００４２】
このように本実施形態に係る糸状体ユニット１０では、糸状体１２は、ストレスなくケーシング１３から引き出されるので、糸状体１２が損傷を受けることはない。また、糸状体１２は、真直で滑らかな状態が維持されるから、使用者にとって非常に扱いやすいという利点もある。しかも、ケーシング１３は、きわめて簡単な構造であるから、糸状体ユニットの製造コストが低減される。
【図面の簡単な説明】
【００４３】
【図１】図１は、本発明の一実施形態に係る糸状体ユニットの斜視図である。図
【図２】図２は、本発明の一実施形態に係る糸状体ユニットの分解斜視図である。
【図３】図３は、本発明の一実施形態に係るケーシングの前面蓋の要部拡大断面図である。
【図４】図４は、本発明の一実施形態に係るケーシングの要部拡大断面図である。
【図５】図５は、本発明の一実施形態に係るケーシングの展開図である。
【図６】図６は、糸状体が巻回される要領を示す図である。
【図７】図７は、本発明の一実施形態に係る糸状体の斜視図である。
【図８】図８は、従来の糸巻の分解斜視図である。
【図９】図９は従来の糸巻の内フレームの斜視図である。
【図１０】図１０は従来の糸巻の内フレームの平面図である。
【符号の説明】
【００４４】
１０・・・糸状体ユニット
１１・・・治具
１２・・・糸状体
１３・・・ケーシング
１４・・・ベースプレート
１５・・・糸掛ボス
１６・・・糸掛ボス
１７・・・下面
１８・・・正面
１９・・・右側面
２０・・・背面
３２・・・上面  
３３・・・中央部
３５・・・収容室
３６・・・前面蓋
４６・・・挿通孔
５１・・・糸状体の一端
５２・・・糸状体の他端側の部分
１０９・・・中央部
１１０・・・側片部
１１１・・・側片部
１１２・・・側片部
１１３・・・側片部
【図１】
2009183223.tif 000003
【図２】
2009183223.tif 000004
【図３】
2009183223.tif 000005
【図４】
2009183223.tif 000006
【図５】
2009183223.tif 000007
【図６】
2009183223.tif 000008
【図７】
2009183223.tif 000009
【図８】
2009183223.tif 000010
【図９】
2009183223.tif 000011
【図１０】
2009183223.tif 000012